(57)【特許請求の範囲】
【請求項１】
ホースを内部に収納し、前面を開放する箱形の筐体と、
下端側を上記筐体の下端側に上記筐体の幅方向と平行な第１回転軸周りに揺動可能に支持されて上記筐体の前面に取り付けられ、上記ホースの収納領域に相対する第１開口部を有する前面パネルと、
上記前面パネルの揺動角度を調節し、調節された揺動角度で上記前面パネルを上記筐体に固定する揺動角度調節手段と、
上記第１開口部を開閉可能に配設された消火栓扉と、を備え、
上記前面パネルは、幅方向の両側部の下端側を上記筐体に上記第１回転軸周りに揺動可能に支持され、
位置合わせ軸が、上記第１回転軸と同軸に、上記筐体に取り付けられ、
上記位置合わせ軸に嵌合して軸受を構成する嵌合溝を有する位置合わせ金具が、上記前面パネルの下端側に取り付けられている消火栓装置。
【請求項２】
上記筐体は、上記ホースの収納領域と幅方向に隣り合う消火器の収納領域を有し、
上記前面パネルは、上記消火器の収納領域に相対する第２開口部を有し、
消火器扉が、上記第２開口部を開閉可能に上記前面パネルに配設され、
上記位置合わせ軸が、幅方向に関して、上記ホースの収納領域と上記消火器の収納領域との間に位置して、上記筐体に取り付けられていることを特徴とする請求項１記載の消火栓装置。
【請求項３】
上記消火栓扉は、下端側を第２回転軸周りに揺動可能に上記筐体に支持され、
上記第２回転軸の軸受と上記位置合わせ軸が、一部品として構成されていることを特徴とする請求項１または請求項２記載の消火栓装置。
【発明の詳細な説明】
【技術分野】
【０００１】
この発明は、例えば高速自動車道等のトンネルに設置されて火災時に筐体内部のホースを引き出して消火を行う消火栓装置に関するものである。
【背景技術】
【０００２】
従来の消火栓装置は、ノズル付きホース、消火器などが内部に収納される筐体と、ノズル付きホースの収納空間を開閉可能に筐体の前面に取り付けられた消火栓扉と、消火器の収納空間を開閉可能に筐体の前面に取り付けられた消火器扉と、を備えている（例えば、特許文献１参照）。
【０００３】
この従来の消火栓装置は、例えば、トンネルの壁面を箱抜きして形成された消火栓装置収納部に設置される。そして、火災発生時には、作業者が、消火栓扉を開き、ノズル付きホースを筐体から引き出して、消火を行うことになる。
【先行技術文献】
【特許文献】
【０００４】
【特許文献１】特開２００５−３１８９７２号公報
【発明の概要】
【発明が解決しようとする課題】
【０００５】
一般に、トンネルの壁面は、高くなるにつれトンネルの内側に張り出す曲面形状に作製されている。一方、従来の消火栓装置は、筐体が直方体の箱形に作製されている。そこで、筐体の前面下端がトンネルの壁面とほぼ面一となるように従来の消火栓装置を消火栓装置収納部に設置した場合には、筐体の上端側が消火栓装置収納部内に入り込み、筐体の前面に設置されて消火栓装置の位置を明示する赤色表示灯が横方向から視認できないという問題が生じる。また、筐体の前面上端がトンネルの壁面とほぼ面一となるように従来の消火栓装置を消火栓装置収納部に設置した場合には、筐体の下端側がトンネル内に突出してしまうので、トンネル内に突出する筐体の下端側がトンネル内を流れる塵埃や排気ガス成分を含んだ気流、さらには周囲から飛散する水に曝され、老朽化が促進されるという問題があった。
【０００６】
この発明は、上記の課題を解決するためになされたものであり、前面パネルを筐体下端に対して揺動可能に構成し、箱抜き内に設置時に、前面パネルがトンネルの壁面とほぼ面一となるように前面パネルの揺動角度を調節して、横方向から赤色表示灯を視認でき、かつトンネル内への突出に起因する老朽化を抑えることができる消火栓装置を得ることを目的とする。
【課題を解決するための手段】
【０００７】
この発明による消火栓装置は、ホースを内部に収納し、前面を開放する箱形の筐体と、下端側を上記筐体の下端側に上記筐体の幅方向と平行な第１回転軸周りに揺動可能に支持されて上記筐体の前面に取り付けられ、上記ホースの収納領域に相対する第１開口部を有する前面パネルと、上記前面パネルの揺動角度を調節し、調節された揺動角度で上記前面パネルを上記筐体に固定する揺動角度調節手段と、上記第１開口部を開閉可能に配設された消火栓扉と、を備え、上記前面パネルは、幅方向の両側部の下端側を上記筐体に上記第１回転軸周りに揺動可能に支持され、位置合わせ軸が、上記第１回転軸と同軸に、上記筐体に取り付けられ、上記位置合わせ軸に嵌合して軸受を構成する嵌合溝を有する位置合わせ金具が、上記前面パネルの下端側に取り付けられている。
【発明の効果】
【０００８】
この発明によれば、前面パネルが筐体の下端側に第１回転軸周りに揺動可能に筐体の前面に取り付けられているので、トンネル壁面に凹設された箱抜きの周りのトンネル壁面状態に合わせて前面パネルの揺動角度を調節し、前面パネルがトンネル壁面に略面一となるように消火栓装置を箱抜きに据え付けることができる。これにより、横方向から赤色表示灯を容易に視認できるようになり、火災発生時に、作業者に消火栓装置の据え付け位置を明確に把握させることができる。また、消火栓装置のトンネル内への突出が抑えられ、トンネル内を流れる塵埃や排気ガス成分を含んだ気流、さらには周囲から飛散する水に曝されることに起因する老朽化が抑制される。
【図面の簡単な説明】
【０００９】
【図１】この発明の一実施の形態に係る消火栓装置を示す正面図である。
【図２】この発明の一実施の形態に係る消火栓装置を示す側面図である。
【図３】この発明の一実施の形態に係る消火栓装置の消火栓扉を開けた状態での内部状態を示す平面図である。
【図４】この発明の一実施の形態に係る消火栓装置を構成する筐体を示す正面図である。
【図５】この発明の一実施の形態に係る消火栓装置を構成する筐体を示す上面図である。
【図６】図４のＶＩ−ＶＩ矢視断面図である。
【図７】この発明の一実施の形態に係る消火栓装置を構成する筐体を示す側面図である。
【図８】図４のＶＩＩＩ−ＶＩＩＩ矢視断面図である。
【図９】この発明の一実施の形態に係る消火栓装置を構成する前面パネルを示す背面図である。
【図１０】この発明の一実施の形態に係る消火栓装置を構成する前面パネルを示す上面図である。
【図１１】この発明の一実施の形態に係る消火栓装置を構成する前面パネルを示す側面図である。
【図１２】図９のＸＩＩ−ＸＩＩ矢視断面図である。
【図１３】この発明の一実施の形態に係る消火栓装置に用いられる第１軸受金具の構成を説明する図である。
【図１４】この発明の一実施の形態に係る消火栓装置に用いられる第２軸受金具の構成を説明する図である。
【図１５】この発明の一実施の形態に係る消火栓装置に用いられる回転軸取付板の構成を説明する図である。
【図１６】この発明の一実施の形態に係る消火栓装置に用いられる位置合わせ金具の構成を説明する図である。
【図１７】この発明の一実施の形態に係る消火栓装置に用いられる位置合わせ金具の取り付け状態を説明する要部斜視図である。
【図１８】この発明の一実施の形態に係る消火栓装置に用いられる前面パネル支持金具の構成を説明する図である。
【図１９】この発明の一実施の形態に係る消火栓装置に用いられるカバーを示す斜視図である。
【図２０】この発明の一実施の形態に係る消火栓装置のトンネル据え付け状態を示す要部断面図である。
【発明を実施するための形態】
【００１０】
以下、本発明の消火栓装置の好適な実施の形態につき図面を用いて説明する。
【００１１】
図１はこの発明の一実施の形態に係る消火栓装置を示す正面図、図２はこの発明の一実施の形態に係る消火栓装置を示す側面図、図３はこの発明の一実施の形態に係る消火栓装置の消火栓扉を開けた状態での内部状態を示す平面図、図４はこの発明の一実施の形態に係る消火栓装置を構成する筐体を示す正面図、図５はこの発明の一実施の形態に係る消火栓装置を構成する筐体を示す上面図、図６は図４のＶＩ−ＶＩ矢視断面図、図７はこの発明の一実施の形態に係る消火栓装置を構成する筐体を示す側面図、図８は図４のＶＩＩＩ−ＶＩＩＩ矢視断面図、図９はこの発明の一実施の形態に係る消火栓装置を構成する前面パネルを示す背面図、図１０はこの発明の一実施の形態に係る消火栓装置を構成する前面パネルを示す上面図、図１１はこの発明の一実施の形態に係る消火栓装置を構成する前面パネルを示す側面図、図１２は図９のＸＩＩ−ＸＩＩ矢視断面図である。図１３はこの発明の一実施の形態に係る消火栓装置に用いられる第１軸受金具の構成を説明する図であり、図１３の（ａ）は正面図、図１３の（ｂ）は側面図である。図１４はこの発明の一実施の形態に係る消火栓装置に用いられる第２軸受金具の構成を説明する図であり、図１４の（ａ）は正面図、図１４の（ｂ）は側面図、図１４の（ｃ）は底面図である。図１５はこの発明の一実施の形態に係る消火栓装置に用いられる回転軸取付板の構成を説明する図であり、図１５の（ａ）は正面図、図１５の（ｂ）は側面図である。図１６はこの発明の一実施の形態に係る消火栓装置に用いられる位置合わせ金具の構成を説明する図であり、図１６の（ａ）は正面図、図１６の（ｂ）は左側面図、図１６の（ｃ）は右側面図、図１６の（ｄ）は底面図である。図１７はこの発明の一実施の形態に係る消火栓装置に用いられる位置合わせ金具の取り付け状態を説明する要部斜視図である。図１８はこの発明の一実施の形態に係る消火栓装置に用いられる前面パネル支持金具の構成を説明する図であり、図１８の（ａ）は正面図、図１８の（ｂ）は側面図である。図１９はこの発明の一実施の形態に係る消火栓装置に用いられるカバーを示す斜視図、図２０はこの発明の一実施の形態に係る消火栓装置のトンネル据え付け状態を示す要部断面図である。
【００１２】
図１乃至図３において、消火栓装置１００は、ノズル付きホース２６、消火器（図示せず）などが内部に収納される筐体１と、筐体１の前面に下端側を揺動中心として揺動可能に取り付けられ、ノズル付きホース２６の先端が内面に取り付けられる前面パネル３０と、筐体１のノズル付きホース収納領域を開閉する前傾式の消火栓扉５２と、筐体１の消火器収納領域を開閉する消火器扉５７と、保守扉５５と、電気機器取付板５９と、を有する。
【００１３】
筐体１は、図４乃至図８に示されるように、一対の側板２、底板３、天板４および背面板５からなる前面に開口する直方体の箱形に作製されている。ここで、筐体１の側板２の相対する方向を幅方向、底板３と天板４との相対する方向を高さ方向、開口と背面板５との相対する方向を奥行き方向とする。一対の側板２の開口側端面の下端側が、下端に向って背面板５側に変位する傾斜面２ａに形成されている。底板３の開口側が天板４側に直角に折り返されて折り返し部３ａを形成して、折り返し部３ａが傾斜面２ａの下端位置と略面一となっている。そして、傾斜面２ａおよび折り返し部３ａが前面パネル倒れ防止部を構成する。
【００１４】
第１および第２補強板６，７は、断面Ｌ字状の鋼材が用いられ、Ｌ字状の一辺の外面を背面板５側に向けて、Ｌ字状の他辺の外面を一対の側板２の内面に接するように配置され、一対の側板２の開口端に溶接などにより固着され、底板３から天板４に至るように配設されている。そして、第１および第２補強板６，７の他辺の下端側は、傾斜面２ａと面一となる傾斜面に形成されている。また、第３補強板８は、断面Ｌ字状の鋼材が用いられ、Ｌ字状の一辺の内面を背面板５側に向けて、かつＬ字状の他辺の外面を第２補強板７側に向けて配置され、両端を底板３および天板４に溶接などにより固着されて、一対の側板２間の中央位置より第２補強板７側に所定距離移動した位置で、かつ開口側に、底板３から天板４に至るように配設されている。
【００１５】
ここで、側板２、底板３、天板４および背面板５は、例えば、板状の鋼材を屈曲成形して作製されている。そして、側板２、底板３、天板４、背面板５、第１乃至第３補強板６〜８に用いられる鋼材には、耐食性の観点から、ステンレス鋼を用いることが好ましい。なお、後述する鋼材を用いる他の部品についても、耐食性の観点から、ステンレス鋼を用いることが好ましい。
【００１６】
第１補強板６の下端側には、第１軸受金具１０が取り付けられている。第１軸受金具１０は、図１３に示されるように、断面Ｌ字状の鋼材で作製され、基辺１０ａに一対の取付穴１１が穿設され、起立辺１０ｂに軸受穴１２が穿設されている。第１軸受金具１０は、起立辺１０ｂを第３補強板８（筐体１の中央側）に向けて基辺１０ａを第１補強板６に宛がい、取付ねじ１３を取付穴１１に通して第１補強板６に締着して取り付けられる。
【００１７】
第３補強板８の下端側には、第２軸受金具１４が取り付けられている。第２軸受金具１４は、図１４に示されるように、断面コ字状の鋼材で作製され、一対の取付穴１５が基辺１４ａに穿設され、軸受穴１６が一方の起立辺１４ｂに穿設され、位置合わせ軸１７が他方の起立辺１４ｃから一方の起立辺１４ｂ側に突出するように他方の起立辺１４ｃに一体に形成されている。軸受穴１６と位置合わせ軸１７とは同軸に形成されている。第２軸受金具１４は、一方の起立辺１４ｂを第１補強板６に向けて、基辺１４ａを第３補強板８に宛がい、取付ねじ１３を取付穴１５に通して第３補強板８に締着して取り付けられる。このとき、第１および第２軸受金具１０，１４は、軸受穴１２，１６および位置合わせ軸１７が同軸となるように位置調節されて第１および第３補強板６，８に取り付けられる。
さらに、側板軸受穴１８が、一対の側板２および側板２に固着された第１および第２補強板６，７の他辺に、軸受穴１２，１６および位置合わせ軸１７と同軸に穿設されている。
【００１８】
一対の側板２および側板２に固着された第１および第２補強板６，７の他辺の上端開口側には、挿通穴１９が、側板軸受穴１８の穴中心から高さ方向に所定距離Ｌ離れた位置に穿設され、固定用ナット２０が、各挿通穴１９の位置で第１および第２補強板６，７の他辺の内面に溶接により固着されている。第１および第２補強板６，７に固着された固定用ナット２０の軸心は同軸となっている。
【００１９】
さらに、挿通穴（図示せず）が第３補強板８のＬ字状の他辺の上端側に穿設され、固定用ナット２３が第３補強板８のＬ字状の他辺の内面に挿通穴と同軸に配置されて溶接などにより固着されている。なお、固定用ナット２３の軸心は、第１および第２補強板６，７に固着された固定用ナット２０と同様に、側板軸受穴１８の穴中心（位置合わせ軸１７の軸心）から高さ方向に所定距離Ｌ離れた位置に設定されているが、固定用ナット２０の軸心より背面板５側に位置している。なお、固定用ナット２３の軸心は、固定用ナット２０の軸心と同軸とすることもできる。
一対のストッパ２４が、第１および第３補強板６，８の下端側に同じ高さ位置で取り付けられている。
【００２０】
筐体１の内部には、第１補強板６と第３補強板８との間の消火栓収納領域と、第２補強板７と第３補強板８との間の消火器収納領域とが形成されている。消火栓収納領域には、ホースバケット２５が設置され、ノズル付きホース２６がホースバケット２５に内巻きに収納されている。さらに、消火栓収納領域のホースバケット２５と側板２との間には、ノズル付きホース２６への給水配管２７が設置されている。そして、給水配管２７には、自動調圧弁２８、消火栓弁２９などが設置されている。一方、消火器収納領域には、図示していないが、信号変換器、電路端子台などの電気機器や消火器が収納されている。
【００２１】
前面パネル３０は、図９乃至図１２に示されるように、板状の鋼材を屈曲成形して作製され、一対の側枠部３３ａと、一対の側枠部３３ａの両端を連結する下枠部３３ｂおよび上枠部３３ｃと、からなり、筐体１の開口部を覆う外形形状の枠体に構成されている。さらに、前面パネル３０は、一対の側枠部３３ａ間で下枠部３３ｂと上枠部３３ｃとを連結する中央枠部３３ｄを有し、消火栓収納領域に対応する第１開口部３１と消火器収納領域に対応する第２開口部３２とが形成されている。
【００２２】
前面パネル補強板３４は、板状の鋼材を屈曲成形して作製され、前面パネル３０の両側枠部３３ａのそれぞれの裏面に溶接などにより固着され、側枠部３３ａの裏面から直角に起立して、側枠部３３ａの下端から上端に至るように延設されている。前面パネル補強板３４は、側枠部３３ａからの延出長さが、下端から上端に向って漸次長くなる略三角形の形状に作製され、前面パネル３０を筐体１に取り付けた際に、一対の側板２の外面に沿って延在する。
【００２３】
回転軸取付板３７は、図１５に示されるように、挿通穴３９が穿設された基板３８に回転軸４０を立設して構成されている。そして、回転軸取付板３７が、前面パネル補強板３４の下端側に穿設された挿通穴３５に回転軸４０を挿通させて、取付ねじ４１を挿通穴３９に通して前面パネル補強板３４に締着して取り付けられている。また、第１角度調節穴３６が、前面パネル補強板３４の上端側の回転軸４０の軸心を中心とする半径Ｌの円弧上に、例えば１°の角度ピッチで１０個穿設されている。前面パネル３０および前面パネル補強板３４の下端は、回転軸４０の軸心を中心とする円弧状に形成されている。また、下枠部３３ｂの下端がＵ字状に折り返されている。
【００２４】
位置合わせ金具４２は、図１６に示されるように、矩形の基辺４２ａと、基辺４２ａの一方の短辺から裏面側に９０°折り曲げた第１折り曲げ辺４２ｂと、基辺４２ａの一方の長辺から裏面側に９０°折り曲げられた第２折り曲げ辺４２ｃと、基辺４２ａの他方の長辺の他方の短辺側から表面側に９０°折り曲げられた第３折り曲げ辺４２ｄと、を有している。さらに、位置合わせ軸１７に嵌合して位置合わせ軸１７の軸受となる嵌合溝４３が第３折り曲げ辺４２ｄに形成されている。位置合わせ金具４２は、図１７に示されるように、第１折り曲げ辺４２ｂを下枠部３３ｂの折り返し辺の内壁面に沿わせて溶接などにより固着され、第２折り曲げ辺４２ｃを中央枠部３３ｄの折り返し辺の内壁面に沿わせて溶接などにより固着され、前面パネル３０の第２開口部３２の下部の第１開口部３１側の角部に取り付けられている。
【００２５】
前面パネル支持金具４５は、図１８に示されるように、略矩形平板状の基辺４５ａと、基辺４５ａの各辺を折り返した第１および第２折り返し辺４５ｂ、４５ｃを有する。そして、第２角度調節穴４６が、基辺４５ａの半径Ｌの円弧上に、例えば１°の角度ピッチで１０個穿設されている。この前面パネル支持金具４５は、半径Ｌの円弧の中心を位置合わせ軸１７の軸心に一致するように位置調節され、第１折り返し辺４５ｂを前面パネル３０の第２開口部３２の上部の第１開口部３１側の角部に取り付けられた当て板４７に締着固定され、中央枠部３３ｄの裏面に直角に背面板５側に延設されている。
【００２６】
一対の扉受け金具４８が、第１開口部３１の両側の側枠部３３ａと中央枠部３３ｄとに、同じ高さ位置で、かつ上部側に取り付けられている。一対の当て板４９が第２開口部３２の下枠部３３ｂおよび上枠部３３ｃに、同じ幅方向位置で、かつ中央枠部３３ｄ側に取り付けられている。蝶番５０ａ，５０ｂ，５０ｃが、第１開口部３１の上枠部３３ｃ、第２開口部３２の両側の側枠部３３ａと中央枠部３３ｄとに、それぞれ一対ずつ取り付けられている。
【００２７】
このように構成された前面パネル３０は、嵌合溝４３を位置合わせ軸１７に嵌合させ、前面パネル補強板３４に固着された回転軸取付板３７の回転軸４０を一対の側板２および第１および第２補強板６，７に形成された側板軸受穴１８に挿通させて、回転軸４０の軸心周りに揺動可能に筐体１の前面に取り付けられる。ここで、前面パネル補強板３４に固着された回転軸取付板３７の回転軸４０は、その軸心が筐体１の幅方向と平行となり、前面パネル３０の下端側を筐体１の前面の下端側に揺動可能に支持する第１回転軸となる。
【００２８】
また、ボルト４４を前面パネル補強板３４および前面パネル支持金具４５に形成された第１および第２角度調節穴３６，４６に通して固定用ナット２０，２３に締着して、前面パネル３０が筐体１に固定される。そして、ボルト４４が通される第１および第２角度調節穴３６，４６を変えることで、前面パネル３０が前傾する揺動角度が調節される。
【００２９】
ここで、前面パネル補強板３４、前面パネル支持金具４５、第１および第２角度調節穴３６，４６、ボルト４４が揺動角度調節手段を構成している。そして、前面パネル補強板３４が第１固定部材であり、前面パネル補強板３４を側板２に締着固定するボルト４４が第１締着部材となる。また、前面パネル支持金具４５が第２固定部材であり、前面パネル支持金具４５を第３補強板８に締着固定するボルト４４が第２締着部材となる。
【００３０】
また、カバー５１は、図１９に示されるように、板状の鋼板をコ字状に屈曲成形して作製され、さらに基辺の端部を上方に折り返して折り返し部５１ａが形成されている。そして、カバー５１は、折り返し部５１ａを前面パネル３０に押し当て、天板４と前面パネル３０との隙間を覆うように天板４に設置される。
なお、カバー５１の奥行きは、前面パネル３０が最も前傾した状態でも隙間を覆うことができるように設定される。
【００３１】
消火栓扉５２は、板状の鋼材を屈曲成形して作製されている。そして、回転軸取付板３７が、消火栓扉５２の両側の折り返し辺の下端側に穿設された図示しない挿通穴に回転軸４０を挿通させて、折り返し辺の内面に締着固定されている。そして、消火栓扉５２は、回転軸取付板３７の回転軸４０を第１および第２軸受金具１０，１４の軸受穴１２，１６に挿入し、回転軸４０の軸心周りに開閉可能に筐体１に取り付けられている。ここで、消火栓扉５２に固着された回転軸取付板３７の回転軸４０が、消火栓扉５２の下端側を筐体１に揺動可能に支持する第２回転軸となる。
【００３２】
消火栓扉５２は、扉受け金具４８に当接して閉状態となり、例えば後述する保守扉５５にラッチ機構（図示せず）を介して保持され、保守扉５５とともに第１開口部３１を塞口する。消火栓扉５２は、ハンドル６３を手前に引いてラッチ機構を解除して開けられ、その下端がストッパ２４に当接し、消火栓扉５２の開放動作が水平位置で停止される。消火栓扉５２には、取り扱い銘板５３が設置されている。消火栓扉５２の開閉動作は、緩衝ダンパ５４によって緩衝機構が付与されている。
【００３３】
保守扉５５は、板状の鋼材を屈曲して作製され、第１開口部３１の上枠部３３ｃに蝶番５０ａを介して開閉可能に取り付けられている。保守扉５５は、扉受け金具４８にねじなどにより固定され、メンテナンス時や放水後のノズル付きホース２６の格納時など、必要に応じて開放されるものである。そして、保守扉５５には、消火栓銘板５６が設置されている。なお、放水時には、消火栓扉５２の開放のみで十分である。また、保守扉５５を省略して、消火栓扉５２のみで第１開口部３１を開閉可能とすることもできる。
【００３４】
消火器扉５７は、板状の鋼材を屈曲して作製され、第２開口部３２の側枠部３３ａに蝶番５０ｂを介して開閉可能に取り付けられている。消火器扉５７は、例えば裏面に配設された磁石（図示せず）と当て板４９との磁気吸引力により閉塞状態に保持され、ハンドル６４を引くことにより開けられる。そして、消火器扉５７には、消火器銘板５８が表面側に設置されている。
【００３５】
電気機器取付板５９は、板状の鋼材を屈曲して作製され、第２開口部３２の中央枠部３３ｄに蝶番５０ｃを介して開閉可能に取り付けられ、消火器扉５７とともに第２開口部３２を塞口している。電気機器取付板５９は、当て板４９にねじなどにより固定され、メンテナンス時など、必要に応じて開放される。そして、電気機器取付板５９には、発信機６０、赤色表示灯６１、押しボタン式通報装置銘板６２等が表面側に設置されている。
【００３６】
このように構成された消火栓装置１００は、図２０に示されるように、トンネル壁面７１に凹設された箱抜き７２の床面に筐体１を架台などを介して固定して取り付けられる。そして、消火器扉５７と電気機器取付板５９を開けて、前面パネル支持金具４５を第３補強板８に固定しているボルト４４を取り外し、さらに前面パネル補強板３４を側板２に固定しているボルト４４を取り外す。ついで、前面パネル３０を筐体１に対して回転軸４０周りに回動させて、前面パネル３０の上下端がトンネル壁面７１に略面一となるように前傾させる。そして、前面パネル３０の前傾状態を維持して、ボルト４４を第１および第２角度調節穴３６，４６に通して固定用ナット２０，２３に締着し、消火栓装置１００の据え付けが完了する。なお、図２０中、７０はトンネル、７３は監視員通路、７４は排水路、７５は路面である。
【００３７】
このように据え付けられた消火栓装置１００は、前面パネル３０がトンネル壁面７１に沿って設置され、トンネル７０内への過度の突出がない。そこで、トンネル７０内を流れる塵埃や排気ガス成分を含んだ気流、さらには周囲から飛散する水に曝されることに起因する消火栓装置１００の老朽化が抑制される。また、前面パネル３０がトンネル壁面７１内に凹んで位置していないので、赤色表示灯６１を横方向から容易に視認でき、消火栓装置１００の存在を容易に認識できる。
【００３８】
前面パネル３０が、筐体１の前面下端側に対して揺動可能に取り付けられているので、現場にて前面パネル３０の前傾角度を任意に調節できる。そこで、設置されるトンネル７０や、同一トンネル７０内での設置場所が変わっても、設置場所におけるトンネル壁面７１の凹面形状に沿うように前面パネル３０の前傾角度を調節して消火栓装置１００を設置できる。そこで、設置されるトンネル７０や、同一トンネル７０内での設置場所毎に、消火栓装置１００を設計する必要がない。
【００３９】
消火栓扉５２の回転軸４０と前面パネル３０の回転軸４０とが同軸であるので、前面パネル３０の前傾角度に拘らず前面パネル３０と消火栓扉５２とを面一にでき、意匠性が高められる。さらに、消火栓扉５２が筐体１に回転軸４０周りに回動可能に取り付けられ、消火栓扉５２に当接して消火栓扉５２の全開位置を決定するストッパ２４が筐体１に取り付けられているので、前面パネル３０の前傾角度に拘らず、水平に対する消火栓扉５２の全開姿勢を一定に保つことができる。例えば、消火栓扉５２の全開位置が水平となるようにストッパ２４を位置決めして筐体１に取り付ければ、前面パネル３０の前傾角度に拘らず、消火栓扉５２の全開姿勢が常に水平に保たれる。
【００４０】
前面パネル３０の下枠部３３ｂの略中央部に取り付けられた位置合わせ金具４２の嵌合溝４３が第３補強板８の下端側に取り付けられた位置合わせ軸１７に上方から嵌合されるようになっている。そこで、嵌合溝４３が位置合わせ軸１７の軸受として機能し、前面パネル３０の中央部の撓みが抑えられる。さらに、前面パネル３０の取り付け時に、嵌合溝４３を位置合わせ軸１７に嵌合させることにより、前面パネル補強板３４と筐体１の側板２とを連結でき、前面パネル３０の取付作業が容易となる。つまり、嵌合溝４３を位置合わせ軸１７に嵌合させた状態で、前面パネル補強板３４の外側から回転軸取付板３７の回転軸４０を挿通穴３５に通して側板軸受穴１８に差し込み、取付ねじ４１を挿通穴３９に通して前面パネル補強板３４に締着して、前面パネル３０を筐体１に取り付けることができる。
【００４１】
前面パネル３０の揺動中心である位置合わせ軸１７と消火栓扉５２の回転軸４０が嵌入される軸受穴１６とが第２軸受金具１４に一体に形成されているので、位置合わせ軸１７と軸受穴１６との同軸度を高めることができる。
【００４２】
第１角度調節穴３６が前面パネル補強板３４の回転軸４０の軸心を中心とする同一円弧上に複数穿設されているので、ボルト４４を通す第１角度調節穴３６を変えることで前面パネル３０の傾斜角度をトンネル壁面７１に沿うように簡易に調節できる。さらに、第１角度調節穴３６に通されたボルト４４を側板２に取り付けられた固定用ナット２０に締着して前面パネル３０が筐体１に固定されているので、経時変化による前面パネル３０の前傾角度の角度ずれがない。
第２角度調節穴４６を有する前面パネル支持金具４５が前面パネル３０の中央枠部３３ｄに取り付けられ、第２角度調節穴４６に通されたボルト４４を第３補強板８に取り付けられた固定用ナット２３に締着して前面パネル３０を筐体１に固定できるようになっているので、前面パネル３０の中央部の撓みが抑えられる。
【００４３】
前面パネル３０および前面パネル補強板３４の下端が回転軸４０の軸心を中心とする円弧形状に形成されているので、前面パネル３０の前傾動作時に、前面パネル３０および前面パネル補強板３４の下端が箱抜き７２の底面や消火栓装置１００の架台などに当たり、前面パネル３０および前面パネル補強板３４が損傷するという不具合が未然に回避される。
一対の側板２の開口側端面の下端側が、下端に向って背面板５側に変位する傾斜面２ａに形成され、底板３の開口側を天板４側に直角に折り返されて形成された折り返し部３ａが傾斜面２ａの下端位置と略面一となっているので、前面パネル３０の前傾動作時に、前面パネル３０の下端が傾斜面２ａおよび折り返し部３ａに当接し、前面パネル３０の前傾角度の調節範囲を超えての倒れを阻止できる。
【００４４】
前面パネル補強板３４が前面パネル３０の両側枠部３３ａに立設されているので、前面パネル３０の剛性が高められ、前面パネル３０の撓みが抑えられる。さらに、前面パネル３０の前傾時に、前面パネル３０と筐体１の側板２との隙間が前面パネル補強板３４により塞口されるので、トンネル７０内を流れる塵埃や排気ガス成分を含んだ気流、さらには周囲から飛散する水の筐体１内への浸入が抑えられ、筐体１内の部品の劣化が抑制される。
カバー５１が、折り返し部５１ａを前面パネル３０に押し当て、筐体１と前面パネル３０との隙間を覆うように天板４に設置されているので、トンネル７０のコンクリート壁を浸透してカバー５１に滴下した水滴は、折り返し部５１ａに沿って筐体１の両側に流され、水滴の筐体１内への浸入が抑えられる。
【００４５】
なお、上記実施の形態では、筐体が、側板、底板、天板および背面板を用いて、側部、底部、上部および背面部を塞いだ箱形に作製されているものとしているが、筐体は、必ずしも側部、底部、上部および背面部が塞がれている必要はなく、例えばＬ字状の鋼材を連結して作製された箱形の骨組み体であってもよい。
また、上記実施の形態では、カバーが、筐体と前面パネルとの隙間を覆うように天板に設置されているものとしているが、カバーの側板に長穴を形成し、ボルトを長穴と角度調節穴とに通して固定用ナットに締着して、前面パネル補強板とともに筐体に共締め固定されてもよい。
【００４６】
また、上記実施の形態では、角度調節穴が同一円弧上に等角ピッチで複数形成されているものとしているが、角度調節穴は円弧状の穴形状とする長穴（単一の角度調節穴）に形成してもよい。この場合、ボルトと固定用ナットとの締着を緩めて前面パネルの前傾角度を調節できるので、前面パネルの前傾角度の調節時にボルトを取り外す必要がなく、前面パネルの前傾角度の調節作業が容易となる。
【００４７】
また、上記実施の形態では、前面パネル補強板は、側枠部からの延出長さが下端から上端に向って漸次長くなる略三角形の形状に形成されているものとしているが、前面パネル補強板に代えて、前面パネル支持金具を側枠部に取り付けてもよい。この場合、回転軸取付板の支持金具を側枠部の下端側に取り付けることになる。
【符号の説明】
【００４８】
１  筐体、２ａ  傾斜面（前面パネル倒れ防止部）、３ａ  折り返し部（前面パネル倒れ防止部）、１４  第２軸受金具、１６  軸受穴、１７  位置合わせ軸、２６  ホース、３０  前面パネル、３１  第１開口部、３２  第２開口部、３４  前面パネル補強板（揺動角度調節手段、第１固定部材）、３６  第１角度調節穴（揺動角度調節手段）、４０  回転軸（第１回転軸、第２回転軸）、４２  位置合わせ金具、４３  嵌合溝（軸受）、４４  ボルト（揺動角度調節手段、第１締結部材、第２締結部材）、４５  前面パネル支持金具（揺動角度調節手段、第２固定部材）、４６  第２角度調節穴（揺動角度調節手段）、５２  消火栓扉、５７  消火器扉、１００  消火栓装置。
【図１】
0005452455.tif 000002
【図２】
0005452455.tif 000003
【図３】
0005452455.tif 000004
【図４】
0005452455.tif 000005
【図５】
0005452455.tif 000006
【図６】
0005452455.tif 000007
【図７】
0005452455.tif 000008
【図８】
0005452455.tif 000009
【図９】
0005452455.tif 000010
【図１０】
0005452455.tif 000011
【図１１】
0005452455.tif 000012
【図１２】
0005452455.tif 000013
【図１３】
0005452455.tif 000014
【図１４】
0005452455.tif 000015
【図１５】
0005452455.tif 000016
【図１６】
0005452455.tif 000017
【図１７】
0005452455.tif 000018
【図１８】
0005452455.tif 000019
【図１９】
0005452455.tif 000020
【図２０】
0005452455.tif 000021